(57)【要約】【課題】ゴルフクラブヘッドの重量や重心位置を簡単に調節することができるゴルフクラブヘッドを提供すること。【解決手段】ゴルフクラブヘッド１０は、取り付け部１４と、ウェイト部材１６と、弾性部材１８とを備えている。ウェイト部材１６は、係合ピン３２が縦溝部２２Ａに挿入されつつ、円柱部３０、操作部３４が凹部２０に挿入され、操作部３４を介して該ウェイト部材１６が回転され係合ピン３２が横溝部２２Ｂから反縦溝部２２Ｃに至るように配置される。弾性部材１８は、凹部２０とウェイト部材１６との間で圧縮され、弾性部材１８の弾性力で係合ピン３２が反縦溝部２２Ｃの延在方向の端部に係止した状態が保持される。【選択図】図３
2011056054.tif 000002
【特許請求の範囲】
【請求項１】
ヘッド本体と、
前記ヘッド本体に設けられた取り付け部と、
前記取り付け部に着脱可能に取り付けられるウェイト部材と、
弾性変形可能な弾性部材と、
を備えるゴルフクラブヘッドであって、
前記取り付け部は、前記ヘッド本体の表面から窪む円筒状の内周面を有する凹部を含んで構成され、
前記ウェイト部材は、前記凹部に挿入可能な円柱部と、前記円柱部の一方の端面に設けられた回転操作用の操作部とを含んで構成され、
前記凹部の内周面と前記円柱部の外周面に互いに係合する係合部が設けられ、
前記係合部は、前記内周面または前記外周面の一方に設けられた係合溝と、前記内周面または前記外周面の他方に前記係合溝に係合可能に設けられた係合ピンとで構成され、
前記係合溝は、前記ヘッド本体の表面に開口し前記凹部の深さ方向に延在するまたは前記円柱部の他方の端面に開口し前記円柱部の長さ方向に延在する縦溝部と、前記縦溝部の端部から前記内周面または前記外周面に沿って延在する横溝部と、前記横溝部の端部から前記縦溝部と反対の方向に延在する反縦溝部とを有し、
前記ウェイト部材は、前記係合ピンが前記縦溝部に挿入されつつ、前記円柱部、操作部が前記凹部に挿入され、前記操作部を介して該ウェイト部材が回転され係合ピンが前記横溝部から前記反縦溝部に至るように配置され、
前記弾性部材は、前記凹部と前記ウェイト部材との間に配置され、前記係合ピンが前記横溝部および前記反縦溝部に位置した状態で圧縮されており、
前記弾性部材の弾性力で前記係合ピンが前記反縦溝部の延在方向の端部に係止した状態が保持される、
ゴルフクラブヘッド。
【請求項２】
前記弾性部材は、前記凹部の底部と前記円柱部の他方の端面との間に配置されている、
請求項１記載のゴルフクラブヘッド。
【請求項３】
前記円柱部の他方の端面に軸部が突設され、
前記弾性部材は前記軸部に巻装されて配置され、
前記軸部の先部に、前記弾性部材の抜け落ちを阻止するワッシャが前記他方の端面から離れる方向に移動不能に設けられ、
前記凹部の底部に、前記ワッシャに当接可能な環状の端面が設けられている、
請求項１または２記載のゴルフクラブヘッド。
【請求項４】
前記弾性部材は、ゴム製で環状のシール部材で構成されている、
請求項１乃至３に何れか１項記載のゴルフクラブヘッド。
【請求項５】
前記弾性部材の外径は、前記円柱部の外径よりも小さい、
請求項１乃至４に何れか１項記載のゴルフクラブヘッド。
【請求項６】
前記係合溝は、前記凹部の内周面に形成され、
前記係合ピンは、前記円柱部の外周面に突設されている、
請求項１乃至５に何れか１項記載のゴルフクラブヘッド。
【発明の詳細な説明】
【技術分野】
【０００１】
本発明はゴルフクラブヘッドに関し、より詳細には、着脱可能なウェイト部材を備えたゴルフクラブヘッドに関する。
【背景技術】
【０００２】
ドライバやフェアウェイウッドなどのようなゴルフクラブでは、ゴルフクラブヘッドの重量や重心位置を、ユーザーが自分で調節できるようにしたゴルフクラブヘッドが提供されている。
この種のゴルフクラブヘッドは、着脱可能なウェイト部材を備えており、ユーザーが所望の重さのウェイト部材を選択して装着することで、あるいは、装着位置を変えることで、ゴルフクラブヘッドの重量や重心位置を調節するようにしている。
【先行技術文献】
【特許文献】
【０００３】
【特許文献１】特開２００６−３２０４９３
【特許文献２】特表２００６−５０５３６７
【特許文献３】特開平１１−９７４２
【発明の概要】
【発明が解決しようとする課題】
【０００４】
一方、この種のゴルフクラブヘッドでは、長期にわたって繰り返してゴルフボールを打った場合でも、ウェイト部材がゴルフクラブヘッドから抜け出ないように、雄ねじが多数形成された雄ねじ部と、雌ねじが多数形成されたに雌ねじ部とを結合することで、ウェイト部材をゴルフクラブヘッドに取り付けるようにしている。
そのため、ウェイト部材を取り外す場合にも、取り付ける場合にも、何回もウェイト部材を回転させなければならず、ゴルフクラブヘッドの重量や重心位置を簡単に調節することができない不具合があった。
本発明は前記事情に鑑み案出されたものであって、ウェイト部材のゴルフクラブヘッドから抜出を防止でき、ゴルフクラブヘッドの重量や重心位置を簡単に調節することができるゴルフクラブヘッドを提供することにある。
【課題を解決するための手段】
【０００５】
前記目的を達成するため本発明は、ヘッド本体と、前記ヘッド本体に設けられた取り付け部と、前記取り付け部に着脱可能に取り付けられるウェイト部材と、弾性変形可能な弾性部材とを備えるゴルフクラブヘッドであって、前記取り付け部は、前記ヘッド本体の表面から窪む円筒状の内周面を有する凹部を含んで構成され、前記ウェイト部材は、前記凹部に挿入可能な円柱部と、前記円柱部の一方の端面に設けられた回転操作用の操作部とを含んで構成され、前記凹部の内周面と前記円柱部の外周面に互いに係合する係合部が設けられ、前記係合部は、前記内周面または前記外周面の一方に設けられた係合溝と、前記内周面または前記外周面の他方に前記係合溝に係合可能に設けられた係合ピンとで構成され、前記係合溝は、前記ヘッド本体の表面に開口し前記凹部の深さ方向に延在するまたは前記円柱部の他方の端面に開口し前記円柱部の長さ方向に延在する縦溝部と、前記縦溝部の端部から前記内周面または前記外周面に沿って延在する横溝部と、前記横溝部の端部から前記縦溝部と反対の方向に延在する反縦溝部とを有し、前記ウェイト部材は、前記係合ピンが前記縦溝部に挿入されつつ、前記円柱部、操作部が前記凹部に挿入され、前記操作部を介して該ウェイト部材が回転され係合ピンが前記横溝部から前記反縦溝部に至るように配置され、前記弾性部材は、前記凹部と前記ウェイト部材との間に配置され、前記係合ピンが前記横溝部および前記反縦溝部に位置した状態で圧縮されており、前記弾性部材の弾性力で前記係合ピンが前記反縦溝部の延在方向の端部に係止した状態が保持されることを特徴とする。
【発明の効果】
【０００６】
本発明では、ウェイト部材の着脱の際、従来のように何回もウェイト部材を回転操作する必要がなくなり、操作部を介してウェイト部材を縦溝部と反縦溝部との間で回転させることで、ウェイト部材の着脱を簡単に行えるようになる。
また、係合ピンが反縦溝部の端部に係止した状態が弾性部材の弾性力により維持されるので、長期にわたりウェイト部材の取り付け部への装着状態が確実に保持される。
【図面の簡単な説明】
【０００７】
【図１】ゴルフクラブヘッドの断面正面図である。
【図２】ゴルフクラブヘッドの底面図である。
【図３】ウェイト部材の取り付け状態の拡大断面図である。
【図４】ウェイト部材と取り付け部との分解斜視図である。
【図５】（Ａ）第１の実施の形態のウェイト部材の平面図、（Ｂ）ウェイト部材の正面図である。
【図６】（Ａ）第２の実施の形態のウェイト部材の平面図、（Ｂ）ウェイト部材の正面図である。
【発明を実施するための形態】
【０００８】
以下、本発明の実施の形態を図面にしたがって説明する。
まず、第１の実施の形態から説明する。
図１〜図３に示すように、ゴルフクラブヘッド１０は、ヘッド本体１２と、ヘッド本体１２に設けられた取り付け部１４と、取り付け部１４に着脱可能に取り付けられるウェイト部材１６と、弾性部材１８とを備えている。
ゴルフクラブヘッド１０はドライバーのゴルフクラブヘッドであり、ヘッド本体１２はフェース部１２Ａ、ソール部１２Ｂ、クラウン部１２Ｃ、ホーゼル１２Ｄを含んでいる。
【０００９】
取り付け部１４は、本実施の形態では２つ設けられ、これに対応してウェイト部材１６、弾性部材１８も２つずつ設けられている。
図３、図４に示すように、取り付け部１４は、凹部２０と、係合溝２２とを含んで構成されている。
凹部２０は、ソール部１２Ｂの表面に窪むように設けられ、円筒状の内周面２００２を有している。本実施の形態では、凹部２０は、ソール部１２Ｂに溶接により接合された筒状部材２０１０の内周面で形成されている。
また、凹部２０の底部には環状の端面２００４が位置しており、この端面２００４の中央に凹部２０の直径よりも小径の小径凹部２００６が設けられている。
【００１０】
係合溝２２は、凹部２０の内周面に形成されている。本実施の形態では、係合溝２２は、内周面の周方向に間隔をおいた２箇所に設けられている。
係合溝２２は、縦溝部２２Ａと、横溝部２２Ｂと、反縦溝部２２Ｃとを有している。
縦溝部２２Ａは、ソール部１２Ｂの表面に開口し凹部２０の深さ方向に延在している。
横溝部２２Ｂは、縦溝部２２Ａの端部から内周面２００２に沿って延在している。
反縦溝部２２Ｃは、横溝部２２Ｂの端部から縦溝部２２Ａと反対の方向に、すなわち、ソール部１２Ｂの表面方向に延在している。
【００１１】
ウェイト部材１６は、鉄やタングステンなどの比重の大きい材料で形成されている。ウェイト部材１６は、３ｇ〜２０ｇの範囲で重量別に複数の種類が用意され、重量の異なるウェイト部材１６に取り換えることで、ゴルフクラブヘッドの重量や重心位置が調節できるように図られている。
ウェイト部材１６は、円柱部３０と、係合ピン３２と、操作部３４と、軸部３６とを含んで構成されている。
円柱部３０は、ウェイト部材１６の重さの半分以上を占めており、ウェイト部材１６の本体をなす部分である。
係合ピン３２は係合溝２２に係合可能に設けられ、円柱部３０の外周面３００２から突設されている。この係合ピン３２は、２つの係合溝２２にそれぞれ係合するように２つ設けられている。なお、この係合ピン３２と係合溝２２とで互いに係合する係合部が構成されている。
操作部３４は、円柱部３０と同軸上で円柱部３０の一方の端面３００４から突設された軸部３８の先部に設けられている。
操作部３４は、ウェイト部材１６を回転操作し易いように、周方向に等間隔をおいた３つの爪体３４０２で構成されている。なお、操作部３４は、ウェイト部材１６を回転操作できる形状、構造であればよく、例えば、−溝や＋溝であってもよく、従来公知の様々な形状、構造が適用可能である。
軸部３６は、円柱部３０の他方の端面３００６から突設されている。この軸部３６は、弾性部材１８を巻装するためのものである。
【００１２】
弾性部材１８は、凹部２０の深さ方向に、また、円柱部３０の長さ方向に弾性変形するものである。
弾性部材１８は、凹部２０とウェイト部材１６との間に配置され、係合ピン３２が横溝部２２Ｂおよび反縦溝部２２Ｃに位置した状態で圧縮される寸法で形成されている。
弾性部材１８には、コイルスプリングなどの従来公知の様々なものが使用可能であるが、本実施の形態では、弾性部材１８として、円柱部３０の直径以下の外径のＯリングを用いている。このようにＯリングなどのような弾性変形可能な環状のシール部材を用いると、そのシール部材の内側への塵埃などの異物の侵入を阻止する上で有利となる。また、ゴム製のシール部材を用いると金属に比べて軽量であるため、ウェイト部材１６の重さに与える影響は少なく、ウェイト部材１６を設計する上で有利となる。また、弾性部材１８を、凹部２０の底部と円柱部３０の他方の端面３００６との間に配置すると、円柱部３０の外径を大きくすることなく弾性部材１８を配置する上で有利となる。
そして、ウェイト部材１６の着脱操作の簡易化を図るため、弾性部材１８をウェイト部材１６に装着し、弾性部材１８をウェイト部材１６に一体化させている。すなわち、弾性部材１８はウェイト部材１６の軸部３６に巻装され、弾性部材１８が抜け落ちないように、軸部３６の先端に、Ｅリング４０を介して環板状のワッシャ４２を他方の端面３００６から離れる方向に移動不能に設けている。
【００１３】
ウェイト部材１６は弾性部材１８を軸部３６に装着した状態で、係合ピン３２を縦溝部２２Ａに挿入しつつ、軸部３６、円柱部３０、操作部３４が凹部２０に挿入される。
そして、適宜治具を用いて操作部３４を介してウェイト部材１６を回転させ係合ピン３２を横溝部２２Ｂから反縦溝部２２Ｃに至らせる。
弾性部材１８は、凹部２０の底部と円柱部３０の他方の端面３００６との間に位置しており、係合ピン３２が縦溝部２２Ａの先端寄りに位置し、また、横溝部２２Ｂおよび反縦溝部２２Ｃに位置した状態で圧縮されている。より詳細には、ワッシャ４２が凹部２０の環状の端面２００４に係止し、弾性部材１８は、ワッシャ４２と円柱部３０の他方の端面３００６との間で圧縮される。
係合ピン３２が反縦溝部２２Ｃに至ると、弾性部材１８の弾性力により係合ピン３２は反縦溝部２２Ｃのソール部１２Ｂの表面側の端部に係止する。
この状態でも弾性部材１８は、ワッシャ４２と円柱部３０の他方の端面３００６との間で圧縮され、係合ピン３２が反縦溝部２２Ｃの端部に係止した状態が弾性部材１８の弾性力により保持される。
【００１４】
本実施の形態では、ウェイト部材１６の着脱の際、従来のように何回もウェイト部材１６を回転操作する必要がなくなり、操作部３４を介してウェイト部材１６を例えば１／４回転、あるいは、１／３回転させることで、ウェイト部材１６の着脱を簡単に行えるようになる。
また、係合ピン３２が反縦溝部２２Ｃの端部に係止した状態が弾性部材１８の弾性力により保持されるので、長期にわたりゴルフボールを打ったとしても、ウェイト部材１６がゴルフクラブヘッド１０から抜け落ちる不具合は生じない。
また、弾性部材１８をウェイト部材１６に装着するようにしたので、ウェイト部材１６と弾性部材１８とが一体化され、ウェイト部材１６の着脱操作の簡易化を図る上で有利となる。
また、弾性部材１８を、ゴム製のシール部材で構成したので、ウェイト部材１６の重さに与える影響は少なく、ウェイト部材１６を設計する上で有利となる。また、弾性部材１８を、ウェイト部材１６の円柱部３０の直径以下の外径の小さいゴム製のシール部材で構成したので、ウェイト部材１６の重さに与える影響は極めて少なく、ウェイト部材１６を設計する上でより一層有利となる。
【００１５】
次に、第２の実施の形態について説明する。
第１の実施の形態と同一の箇所、部材に同一の符号を付してその説明を省略し、第１の実施の形態と異なった箇所のみ説明する。
第２の実施の形態は、ウェイト部材１６の操作部４４の形状が第１の実施の形態と異なっている。
ウェイト部材１６は、第１の実施の形態と同様に、円柱部３０と、係合ピン３２と、操作部４４と、軸部３６とを含んで構成されている。
操作部４４は、円柱部３０と同軸上で円柱部３０の一方の端面３００４から突設された軸部３８の先部に設けられている。
操作部４４は、円盤状の本体４４０２と、本体４４０２の上面に２箇所に設けられた係合孔４４０４とで構成されている。
したがって、ウェイと部材１６を回転させる際には、すなわち、ウェイト部材１６の着脱の際には、各係合孔４４０４に係合可能な係合ピンを有する治具が用いられることになる。
なお、本体４４０２が円柱部３０の外径よりも大きな寸法で形成されているので、取り付け部１４の凹部２０は、本体４４０２が収容される内径の大径凹部と、この大径凹部に続き係合溝２２が形成された内周面２００２を有し前記大径凹部よりも小さい内径の小径凹部とで構成される。
このような第２の実施の形態によっても、第１の実施の形態と同様な効果が奏される。
【００１６】
なお、本実施の形態では、係合溝２２を、凹部２０の内周面２００２に形成し、係合ピン３２をウェイト部材１６の円柱部３０に形成した場合について説明したが、係合溝２２をウェイト部材１６の円柱部３０に形成し、係合ピン３２を凹部２０の内周面２００２に形成してもよい。この場合には、係合溝２２は、円柱部３０の他方の端面３００６に開口し円柱部３０の長さ方向に延在する縦溝部２２Ａと、縦溝部２２Ａの端部から外周面３００２に沿って延在する横溝部２２Ｂと横溝部２２Ｂの端部から縦溝部２２Ａと反対の方向に延在する反縦溝部２２Ｃとで構成されることになる。
また、取り付け部１４を設ける箇所は、ソール部１２Ｂに限定されず、ゴルフクラブヘッドの重量や重心位置を調節する観点から適宜選択される。その場合に取り付け部１４を設ける箇所によっては、円柱部３０と反対に位置する操作部３４、４４の端面３４０４、４４０６は、ゴルフクラブヘッド１０の表面よりも内部側に位置する場合、ゴルフクラブヘッド１０の表面と連続状に位置する場合、ゴルフクラブヘッド１０の表面よりも突出する場合があり得る。
【符号の説明】
【００１７】
１０……ゴルフクラブヘッド、１２……ヘッド本体、１４……取り付け部、１６……ウェイト部材、１８……弾性部材、２０……凹部、２２……係合溝、２２Ａ……縦溝部、２２Ｂ……横溝部、２２Ｃ……反縦溝部、３０……円柱部、３２……係合ピン、３４、４４……操作部。
【図１】
2011056054.tif 000003
【図２】
2011056054.tif 000004
【図３】
2011056054.tif 000005
【図４】
2011056054.tif 000006
【図５】
2011056054.tif 000007
【図６】
2011056054.tif 000008